Podtech/llm-jp-corpus-v4-ja_patent huggingface dataset:
(57)【要約】【課題】  遊技盤の任意の位置に、例えば噴水、時計等を設置できるようなパチンコ台等の表示装置を提供すること。【解決手段】  表示装置１０の液晶表示盤或いは有機ＥＬ表示盤等の遊技盤１１の任意の位置に、貫通ホール（穴）１４を設け、この貫通ホール（穴）１４の部位に配線されるべき表示用線１３を相互に重ねて、貫通ホール（穴）１４の周囲を迂回して表示できるようにしたことを特徴とする。【選択図】        図１
2005046352.tif 000002
【特許請求の範囲】
【請求項１】
表示装置の液晶表示盤或いは有機ＥＬ表示盤等の遊技盤の任意の位置に、貫通ホール（穴）を設けたことを特徴とする遊技機のホール付表示装置。
【請求項２】
貫通ホール（穴）の部位に配線されるべき表示用線を、貫通ホール（穴）の周囲を迂回して表示できるようにしたことを特徴とする請求項１に記載の遊技機のホール付表示装置。
【請求項３】
迂回する表示用線の相互を重ねて配線するようにしたことを特徴とする請求項２に記載の遊技機のホール付表示装置。
【発明の詳細な説明】
【技術分野】
【０００１】
本発明は、パチンコ台等の穴付の装飾シートのかわりに本表示装置に貫通ホールを設けた液晶表示盤乃至有機ＥＬ表示盤等を利用することで、台の入れ替えをすることなく、あたかも新台に替えたかのような効果を持つようにしたホール付表示装置に関する。
【背景技術】
【０００２】
遊技盤に各種の貫通穴を設け、これらに液晶表示装置、可変入賞装置、大入賞装置、入賞口、サイドランプ、ランプ風車等を取付けるようにしたパチンコ機等の遊技機が提案されている（例えば、特許文献１参照）。
【０００３】
【特許文献１】特開２００１−３１４５６８号公報
【発明の開示】
【発明が解決しようとする課題】
【０００４】
しかし前記の液晶表示装置、可変入賞装置、大入賞装置、入賞口、サイドランプ、ランプ風車等は、本来遊技機において遊技上必要な部品であり、これらを取付けるために遊技盤に貫通穴を設ける必要があった。
このように遊技盤には遊技上必要な特定用途の部品を取付けるための貫通穴が設けられている。
この貫通穴は装飾シートで覆われていた。
【０００５】
本発明は、遊技盤の任意の位置に、例えば噴水、時計等を設置できるようなパチンコ台等の表示装置を提供することを目的とする。
【課題を解決するための手段】
【０００６】
上記目的を達成するために、本発明の遊技機のホール付表示装置は、表示装置１０の液晶表示盤或いは有機ＥＬ表示盤等の遊技盤１１の任意の位置に、貫通ホール（穴）１４を設けたことを特徴とする。
【０００７】
また上記において、貫通ホール（穴）１４の部位に配線されるべき表示用線１３を、貫通ホール（穴）１４の周囲を迂回して表示できるようにしたことを特徴とする。
【０００８】
さらに上記において、迂回する表示用線１３の相互を重ねて配線するようにしたことを特徴とする。
【発明の効果】
【０００９】
本発明によれば、表示装置の液晶表示盤或いは有機ＥＬ表示盤等の遊技盤の任意の位置に設けられた貫通ホール（穴）に、必要に応じて所望の部材を設置することができ、貫通ホール（穴）は予め設けられているので、表示装置の液晶表示盤或いは有機ＥＬ表示盤の機能には何らの影響も及ぼさない。
【発明を実施するための最良の形態】
【００１０】
本発明を実施するための最良の形態を実施例に基づき図面を参照して説明する。
【実施例１】
【００１１】
図１は本発明のパチンコ台等の表示装置の正面図（略図）である。
１０は表示装置、１１は液晶表示盤或いは有機ＥＬ表示盤を有する遊技盤で、遊技に必要な模様，絵柄が表示される。１２は液晶表示盤乃至有機ＥＬ表示盤を駆動するためのドライブ回路の表示用線、１４は遊技盤１１の任意の位置に設けた貫通ホール（穴）、１３は貫通ホール（穴）１４の周囲を迂回するドライブ回路の表示用線、１５は広告表示装置である。
【００１２】
図２はホール（穴）１４の部分を迂回するドライブ回路の表示用線をやや詳細に示す図である。
図のようにドライブ回路の表示用線１３は、貫通ホール（穴）１４の部分で迂回して配線されており、隣接する迂回配線は他の迂回配線と重なり合っている。
このように配線することにより、遊技盤１１は貫通ホール（穴）１４を除いた部分が、模様、絵柄を表示可能な表示部として構成される。
【００１３】
このように表示装置の遊技盤１１の任意の位置に設けられた貫通ホール（穴）１４には、例えば噴水或いは時計等を設置することができる。
【図面の簡単な説明】
【００１４】
【図１】パチンコ台等の表示装置の正面図（略図）である。
【図２】貫通ホール（穴）を迂回するドライブ回路の配線を詳細に示す図である。
【符号の説明】
【００１５】
１０  パチンコ台等の表示装置
１１  遊技盤
１２  ドライブ回路の表示用線
１３  貫通ホール（穴）を迂回するドライブ回路の表示用線（駆動用配線）
１４  貫通ホール（穴）
１５  広告表示装置
【図１】
2005046352.tif 000003
【図２】
2005046352.tif 000004
(57)【要約】【課題】  パチンコ機等の遊技機の遊技台において、所謂面変えの際に絵柄を表示する表示盤を交換することなく、模様、絵柄等を任意に変更できる遊技機の遊技表示装置を提供すること。【解決手段】  遊技機の遊技台１０において、釘１６が植設される透明の釘等の遊技用材料を打ち込み可能な遊戯用パネル１２とその後方に画面表示を任意に変更可能な有機ＥＬから成る遊技表示盤１３と基盤１５とを密接配置したことを特徴とする。【選択図】        図１
2005046351.tif 000002
【特許請求の範囲】
【請求項１】
パチンコ機、スマートボール機等の遊技機の遊技台において、釘が植設される透明の遊技用パネルとその後方に有機ＥＬから成る遊技表示盤と基盤とを密接するように配置したことを特徴とする遊技機の遊技表示装置。
【請求項２】
有機ＥＬ遊技表示盤の画面表示を任意に変更可能にしたことを特徴とする請求項１に記載の遊技機の遊技表示装置。
【請求項３】
透明の遊技用パネルは、釘等の遊技用材料を打ち込み可能な材料から成ることを特徴とする請求項１又は請求項２に記載の遊技機の遊技表示装置。
【請求項４】
透明の遊技用パネルに、内周に雌ネジ部と外周に雄ネジ部を有するネジ部をねじ込み固定し、これに釘をねじ込むようにしたことを特徴とする請求項１又は請求項２又は請求項３に記載の遊技機の遊技表示装置。
【発明の詳細な説明】
【技術分野】
【０００１】
本発明は、パチンコ機、スマートボール機等の遊技機の遊技台の遊技表示盤に画面表示を任意に変更可能な有機ＥＬ遊技表示盤を用いた遊技機の遊技表示装置に関する。
【背景技術】
【０００２】
パチンコ機等の弾球遊技機において、所謂面変えに伴うリサイクル効率とコストの改善を図るために、遊技盤を、釘が植設された透明板と絵柄が描かれた装飾シートと弾性板と裏板とを順に配設して４層で構成し、固定具によりこれらの４層を密着締付け状態で使用し、面変えに当たっては装飾シートとソフトウェアのみを交換できるようにしたものが提案されている（例えば、特許文献１参照）。
【０００３】
【特許文献１】特開２００１−３１４５６８号公報
【発明の開示】
【発明が解決しようとする課題】
【０００４】
しかし前記特許文献１の遊技盤の場合でも、絵柄が描かれた装飾シートそのものは面変えの都度交換する必要があり、必ずしもリサイクル効率がよいとは云えない。
【０００５】
本発明は、上記のような点に鑑み、所謂面変えの際にも絵柄を表示する表示盤を交換することなく、模様、絵柄等を任意に変更できる遊技機の遊技表示装置を提供することを目的とする。
【課題を解決するための手段】
【０００６】
上記目的を達成するために、本発明の遊技機の遊技表示装置は、パチンコ機、スマートボール機等の遊技機の遊技台１０において、釘１６が植設される透明の遊戯用パネル１２とその後方に有機ＥＬから成る遊技表示盤１３と基盤１５とを密接するように配置したことを特徴とする。
【０００７】
また上記の有機ＥＬ遊技表示盤１３の画面表示を任意に変更可能にしたことを特徴とする。
また上記の透明の遊技用パネル１２は、釘１６等の遊技用材料を打ち込み可能な材料から成ることを特徴とする。
【０００８】
さらに上記の透明の遊技用パネル１２に、内周に雌ネジ部と外周に雄ネジ部を有するネジ部１７をねじ込み固定し、これに釘１６をねじ込むようにしたことを特徴とする。
【発明の効果】
【０００９】
本発明によれば、面変えをする場合でも、有機ＥＬから成る遊技表示盤そのものをその都度取替える必要がなく、模様、絵柄等の変更は制御装置により有機ＥＬ遊技表示盤の駆動をソフト的に制御することにより任意に行なうことができる。
【発明を実施するための最良の形態】
【００１０】
本発明を実施するための最良の形態を実施例に基づき図面を参照して説明する。
【実施例１】
【００１１】
図１は本発明の遊技機の遊技台部分の断面図である。
１０はその遊技台で、透明ガラス等の前面パネル１１、遊技用透明パネル１２、有機ＥＬから成る遊技表示盤（以下、有機ＥＬ遊技表示盤という）１３、基盤１５、その他の部材から成り、遊技用透明パネル１２と有機ＥＬ遊技表示盤１３と基盤１５とは密接されている。
なお１４は表示盤制御部、１６は釘である。
【００１２】
遊技用透明パネル１２には多数の釘１６が取付けられており、前面パネル１１と遊技用パネル１２の間を遊技用の弾球が通過する。
図２はその取付け態様の一例であり、遊技用透明パネル１２の釘１６が取付けられる位置に、外周に雄ネジ溝、内周に雌ネジ溝が形成されたネジ部１７をねじ込んでおき、これに先端に雄ネジ溝を形成した釘１６をねじ込むことにより、遊技用透明パネル１２に釘１６が取付けられる。なお取付け態様はこれには限らず、釘を直接打込むようにしてもよい。
遊技用透明パネル１２の材料としては、塩化ビニル、アクリル樹脂、ＡＢＳ樹脂、プラスチック、ポリカーボーネード等の成型品が用いられ、また遊技用透明パネル１２は有機ＥＬ遊技表示盤１３の前面部を保護する機能も備える。
【００１３】
有機ＥＬ遊技表示盤１３には、従来の装飾シートと同様に模様、絵柄が表示されるが、これらの画面表示の制御は表示盤制御部１４により行なわれ、有機ＥＬ遊技表示盤１３の駆動をソフト的に制御することにより、遊技に必要な所望の模様、絵柄を任意に表示することができる。
それにより画面表示を変更する場合でも、有機ＥＬ遊技表示盤そのものは従来の装飾シートのようにその都度取替える必要はない。
【図面の簡単な説明】
【００１４】
【図１】遊技機の遊技台部分の断面図である。
【図２】遊技用透明パネルに対する釘の取付け態様の一例である。
【符号の説明】
【００１５】
１０  遊技台
１１  透明前面パネル
１２  透明遊技用パネル
１３  有機ＥＬ遊技表示盤
１４  表示盤制御部
１５  基盤
１６  釘
１７  ネジ部
【図１】
2005046351.tif 000003
【図２】
2005046351.tif 000004
(57)【要約】【課題】口腔内を自然に近い白色光で照らし気道内挿管を容易にするのと同時に、電球切れをなくすことにより光源を半永久に固定し口腔内への光源の脱落を防ぎかつ、電池の長寿命化を実現する【解決手段】光源として白色発光ダイオードを、電源として電池などの直流電源を使用する。【選択図】図１
2005046565.tif 000002
【特許請求の範囲】
【請求項１】
白色発光ダイオードを使用したことを特徴とする喉頭鏡。
【請求項２】
白色発光ダイオードをブレードに固定することにより光源のネジの緩みによる口腔内への脱落を防ぐ請求項１記載の喉頭鏡
【請求項３】
白色発光ダイオードをブレード側に取り付け、電池をハンドル側に内蔵させて使用したことを特徴とする請求項２記載の喉頭鏡
【請求項４】
白色発光ダイオードをブレード側に取り付け、電池及び白色発光ダイオードを保護するための半導体素子をハンドル側に内蔵させて使用したことを特徴とする請求項２記載の喉頭鏡
【請求項５】
他の光源を持つ喉頭鏡との誤接続を防ぐために接続部の形状を変更した請求項２記載の喉頭鏡。
【発明の詳細な説明】
【技術分野】
【０００１】  本発明は気管にカテーテル等のチューブを気管内に挿管するのを容易にするために気管周辺部を電球で照らし、気管を広げるのに用いる喉頭鏡に関するものである。
【背景技術】
【０００２】喉頭鏡はカテーテル等のチューブを気管内に挿管する際に口腔から挿入し、舌を押さえながら電球により気管周辺を明るく照らし挿管を補助するほか、口腔内を観察するのにも用いられている。
【発明の開示】
【発明が解決しようとする課題】
【０００３】  従来の電球は黄色味がかった発色のため、口腔内の色も黄色味っぽく見えるため本来の口腔内の色を確認し難い。【０００４】  従来の電球は黄色味がかった発色のため、自然光よりも暗く見えるため、気道が見えづらく挿管し難い。【０００５】  心停止時に気管内挿管を行い、人工呼吸器と接続する等の緊急時に使用することが多く、電球が玉切れを起こし不点灯となり使用不可能なために一刻を争う時にも係わらず患者への処置が遅れる場合がある。【０００６】  玉切れによる電球交換が必要なためブレードに直接電球を装着しているタイプではブレードと電球を接続しているネジ部の緩みにより電球が口腔内に脱落し、患者の体内に飲み込まれる恐れが常にある。【０００７】  電池の消耗により電球の光量が低くなり口腔内を確実に視認できない場合がある。
【課題を解決するための手段】
【０００８】  前記目標を達成するため第１の発明は白色発光ダイオードを使用し、次のようなことを実現する。【０００９】  （１）口腔内の視認性の向上を実現する。
（２）不点灯による患者への処置の遅れを回避することを実現する。
（３）白色発光ダイオードをブレードに半永久的に固定し、口腔内への電球の脱落を防止することを実現する。【００１０】  前記目標を達成するため第２の発明は白色発光ダイオードと電池などの直流電源を使用し、電池の長寿命化を実現する。
【発明の効果】
【００１１】  白色発光ダイオードを使用することにより、より自然な白色の発光を得るため口腔内の本来の色を確認することが出来、視認性が向上してカテーテル等のチューブの気管内挿管などを行うのを容易にする。【００１２】  白色発光ダイオードは半導体素子でありハロゲン電球やタングステン電球のようにフェラメントを持たないため、玉切れによる不点灯の発生がなく半永久的に使用が可能であり、緊急時に不点灯のため患者への処置が遅れるなどのトラブルを起こしにくいのと共にブレードに白色発光ダイオードを半永久的に固定できるため、ネジの緩み等による口腔内への電球の脱落がない。【００１３】  白色発光ダイオードは半導体素子のため発光の際の消費電力が少なく、安定した光量を長時間出力することが可能である。
【発明を実施するための最良の形態】
【００１４】  図１に示すようにブレード１にブレード先端部１ａを照らすように白色発光ダイオード５を埋め込み、ハンドル２の内部に白色発光ダイオードを保護する半導体素子３と電池４を内蔵する。【００１５】  また他の光源を使用している喉頭鏡ブレードと区別するために図２のようにブレード接続部分１ｂ及びハンドル接続部２ａの形状をＪＩＳ  Ｔ  ７２３１−１（喉頭鏡接合部  第１部  従来型のフックオン式ハンドル・ブレード間接合部）と異なるものに変更する。
【実施例】
【００１６】  図３は白色発光ダイオードを点灯させるための回路図を示し、この回路を基に実際の喉頭鏡としたものが図１である。【００１７】  図３において電池４を電源とし、白色発光ダイオードの保護のための半導体素子３を回路に直列に接続することを示している。【００１８】  図１は図３の電気回路をもとにした本発明に基づく喉頭鏡の実施の形態の一例を示している。【００１９】  図１の示すようにブレード１に白色発光ダイオード５をブレード先端部１ａを照らすように取り付けプラス側コード８をブレード１のブレードフック部１ｂにあるブレード接点部６に接続する。【００２０】  マイナス側コード９はボディアースとする。【００２１】  またブレード接続部６とボディアースが短絡しないようにブレード側絶縁体１０を設け絶縁を行う。【００２２】  一方ハンドル２の内部には白色発光ダイオードを保護する半導体素子３及び電源となる電池４を内蔵する。【００２３】  半導体素子３はハンドル接続部２ａにあるハンドル接点部７に接点部用スプリング１２を介して接続し、電池側接点１３とも接続する。【００２４】  この際ボディはブレード同様ボディアースとなるためハンドル側絶縁体１１を設け絶縁を行う。【００２５】  電池４はハンドル底蓋１５を外しプラス側を電池側接点１３に向け挿入後ハンドル底蓋１５を閉める。【００２６】  電池用スプリング１４の力により電池４は電池用接点１３に押し付けられる。【００２７】  ブレード１とハンドル２をブレード接続部１ｂとハンドル接続部２ａとで接続することによりブレード接点部６とハンドル接点部７が接触し白色発光ダイオード５が点灯する。【００２８】  図２に示すように他の光源を使用している喉頭鏡との誤接続を防ぐために接続部１ｂ及び２ａの形状を変更する。
【図面の簡単な説明】
【００２９】
【図１】本発明に基づく喉頭鏡の内部配置図。
【図２】本発明に基づく喉頭鏡の他の喉頭鏡との誤接続を防ぐためのハンドル側接続部分図
【図３】本発明に基づく白色発光ダイオードを点灯させるための回路図。
【符号の説明】
【００３０】１    ブレード
１ａ  ブレード先端部
１ｂ  ブレード接続部
２    ハンドル
２ａ  ハンドル接続部
３    半導体素子
４    電池
５    白色発光ダイオード
６    ブレード接点部
７    ハンドル接点部
８    プラス側コード
９    マイナス側コード
１０  ブレード側絶縁体
１１  ハンドル側絶縁体
１２  接点部用スプリング
１３  電池側接点
１４  電池用スプリング
１５  ハンドル底蓋
１６  ＪＩＳ  Ｔ  ７２３１−１に基づく接続部分形状
１７  本発明用に形状を変更した接続部分形状
【図１】
2005046565.tif 000003
【図２】
2005046565.tif 000004
【図３】
2005046565.tif 000005
(57)【要約】      （修正有）【課題】  減圧槽の遠心力を利用して、洗濯乾燥機の乾燥工程の乾燥時間を早め、しわの少ないふっくらとした仕上がりを提供する。【解決手段】  洗濯乾燥機１において、外側から減圧槽６で洗濯槽３を覆う。この減圧槽６を高速回転させると減圧槽６と洗濯槽３に挟まれた部分の空気の圧力が下がる。減圧槽に空けられた穴７を通って洗濯槽３内の空気が吸い出されるため洗濯槽３内が減圧される。このことにより、洗濯層３から減圧槽側に穴を通して空気が流れる。この時に洗濯層３の中に風が発生して洗濯層３の中の衣服などの乾燥を速める。また、この減圧と圧力を上げて繊維内の空気密度を変化させて水分を動かすことで、乾燥効率を上げることができる。更に、この減圧状態と空気密度を上げたプロセスを繰り返すことにより、乾燥効率を更に上げる技術的手段を採用した。【選択図】  図２
2005046562.tif 000002
【特許請求の範囲】
【請求項１】
洗濯乾燥機の乾燥工程において、洗濯槽を包み込むように設置した減圧槽を高速回転させて減圧槽内及び洗濯槽内を減圧し、この減圧された状態で洗濯槽内に温風などを送り込むことによって洗濯槽の内側と外側の気圧の差に伴う風を洗濯槽内に発生させ、その風を利用して洗濯槽内の衣服などを乾燥させることを特徴とした洗濯乾燥機。
【請求項２】
洗濯乾燥機において、洗濯槽の外側に減圧槽を設けたことを特徴とした洗濯乾燥機。
【発明の詳細な説明】
【発明の詳細な説明】
【０００１】  現在、洗濯乾燥機の乾燥工程においては、衣服などの入った洗濯槽に温風などを吹き込みながら洗濯槽を高速回転させ、その遠心力によって空気の流れを作り衣服の乾燥効率を高める方式か、衣服などの入った洗濯槽に温風などを吹き込みながら洗濯槽をゆっくり回転させて洗濯物を乾燥させる方式が主流となっている。
【０００２】  前者の方式の長所は、従来の方式よりも乾燥時間が短くてすむ代わりに仕上がった洗濯物にしわが付くと言った欠点がある。これは洗濯槽自体が高速回転するので洗濯物に強い遠心力が掛かりしわをつけてしまう。後者の方式の長所は、前者の方式よりも洗濯物はふっくらとしてしわの少ない代わりに乾燥時間が長く掛かる欠点がある。
【０００３】  この度の発明は、洗濯物に遠心力を掛けることなく、この両者の方式の長所と新しい考え方を取り入れて、洗濯物の乾燥を速めると同時にふっくらとしてしわが少ない乾燥を行おうと言うものである。
【０００４】尚、蓋をした円筒形の筒の壁面に穴を開けて、その開いた穴に遠心力が掛かるように円筒形の筒を高速回転させるとこの筒の中が減圧されることは良く知られている。
また、空気密度の増減を利用して衣服などの乾燥効率を上げる方式は、特許公開２０００−３２０９６２に示されいる。
【０００５】  洗濯乾燥機の中に蓋の開け閉めができ壁面に穴を開けた円筒形の減圧槽を設置し、その減圧槽の内側に蓋の開け閉めができ壁面に穴を開けた円筒形の洗濯槽を設置する。この洗濯槽の中に湿った衣服などを入れ蓋を閉めてノズルなどから温風などを吹き込みながら洗濯槽をゆっくり回転させ洗濯槽内の衣服などを撹拌する。洗濯槽内が充分に温まった後ノズルなどを閉じて温風などの流入を止める。次に洗濯槽をゆっくり回転させたまま洗濯槽の外側に設けられた蓋をした減圧槽を高速回転させると減圧槽と洗濯槽に挟まれた部分の空気が減圧される。このことにより空気圧の高い洗濯槽内の空気が空気圧の低い減圧槽側に流れ出して洗濯槽内も減圧されることになる。この減圧により、洗濯槽内に入っている衣服などの繊維内の空気が膨張して繊維内の水分が繊維の外に押し出される。洗濯槽内が充分に減圧された後、減圧槽は高速回転させたまま閉めていたノズルを開けて温風などを洗濯槽内に吹き込むと、その吹き込まれた温風などは風となって衣服を乾かしながら洗濯槽に空けられた穴を通って減圧槽側へと流れていく。温風などの吹き込みをしばらく続けた後で、洗濯層はゆっくりと回転させたまま減圧槽の回転を下げるか止めて洗濯槽内の空気密度を上げて衣服などの繊維内の空気密度を上げる。この時、繊維内の空気密度が変化して繊維内の水分を動かす。
この様に洗濯槽をゆっくり回転させたまま、洗濯槽への温風などの吹き込み−洗濯槽への温風などの吹き込みを停止して減圧槽を高速回転させて洗濯槽内減圧−減圧槽を高速回転したままでの洗濯槽への温風などの吹き込み−減圧槽の回転を下げるか停止により洗濯槽内加圧（減圧に対する通常気圧のこと）と、これらの工程を何度も繰り返すことによって洗濯槽内に入れた衣服などを効率よく乾燥させるシステムである。
【０００６】  このシステムを利用することにより、非常に長くかかっていた衣服などの乾燥時間を短縮できて経済的であり、しわが少なくふっくらと乾燥させることが出来る。
【図面の簡単な説明】
【０００７】
【図１】  洗濯乾燥機内の減圧槽と洗濯槽の位置関係を表している。
【図２】  洗濯槽をゆっくり回転させながらその外側に設置された減圧槽を高速回転させた時の、減圧槽と洗濯槽に挟まれた部分の空気が減圧槽に空けられた穴を通って減圧槽の外に流れ出すさまと、洗濯槽内の空気が洗濯槽に空けられた穴を通して減圧槽側に流れ出すさまを表している。
【図３】  衣服などが洗濯槽で脱水された後の、通常気圧での衣服などの繊維と繊維の間に残った空気と水分との関係を表している。
【図４】  減圧槽を高速回転させ洗濯槽内の空気密度が下がった時の、洗濯槽内の衣服などの繊維と繊維の間に残った空気と水分との関係を表している
【符号の説明】
【０００８】              １  洗濯乾燥機
２  洗濯槽の蓋
３  洗濯槽
４  洗濯槽に空けられた穴
５  減圧槽の蓋
６  減圧槽
７  減圧槽に空けられた穴
８  換気用ノズル
９  温風吹き込みノズル
１０  衣服などの繊維
１１  空気
１２  水分
１３  遠心力によって減圧槽に空けられた穴から外側に流れる空気の流れ
１４  洗濯槽に空けられた穴から減圧槽側に流れる空気の流れ
１５  減圧槽の回転を表す
【図１】
2005046562.tif 000003
【図２】
2005046562.tif 000004
【図３】
2005046562.tif 000005
【図４】
2005046562.tif 000006
(57)【要約】【課題】本発明は、容器に収納した液体を短時間で泡を立て、生地も攪拌できる道具を提供する。【解決手段】しゃもじ形の板（１）に穴（２）を設けた、泡立て器あわしゃもを使用して卵、卵白、生クリーム等の液体をボールに入れ、手動で攪拌して泡を立てる道具である。卵白に砂糖を加えても、あわしゃもで攪拌するとメレンゲができる。【選択図】  図１
2005046560.tif 000002
【特許請求の範囲】
【請求項１】
しゃもじ形の板（１）に穴（２）を設けたあわしゃも。
【発明の詳細な説明】
【技術分野】
【０００１】  本発明は、容器に収納した液体を攪拌して泡立て、生地も攪拌できるあわしゃもに関する。
【背景技術】
【０００２】  従来の泡立て器がある。【０００３】  しかし、これは泡立てに時間がかかり、生地の攪拌は難しかった（特許文献１参照）。
【特許文献１】実用新案公開平６−３８８３３、  特許公開２００２−７８６２４
【発明の開示】
【発明が解決しようとする課題】
【０００４】  解決しようとする課題点は、容器に収納した液体を攪拌して短時間で泡立てし、生地も攪拌できることを提供する。
【問題を解決するための手段】
【０００５】  しゃもじ形の板（１）に穴（２）を設けたあわしゃもを提供する。
【発明の効果】
【０００６】  本発明は、図１で示す大きな穴（２）が空いているので液体を攪拌すると短時間で泡立てが可能でかつ生地をやさしく攪拌することができる。
【発明の実施するための最良の形態】
【０００７】  あわしゃもを軽く持ち、手首を回転させて容器に液体（卵白、卵黄、卵、生クリーム等）を収納し攪拌して泡を立てる、さらに生地も攪拌できる。
【実施例１】
【０００８】  ケーキを作る際、卵を容器にわり、あわしゃもで攪拌して泡を立て、砂糖、水、油、などを加えさらに攪拌して泡を立て、最後に小麦粉を加え、つづけてあわしゃもで攪拌する。
【実施例２】
【０００９】  ボールに生クリームの液体を収納し、砂糖を加え拡散して泡を立てるとホイップができる。
【図面の簡単な説明】
【００１０】
【図１】    本発明の正面図である。
【図２】    本発明の横面図である。
【符号の説明】
【００１１】  １  板
２  穴
【図１】
2005046560.tif 000003
【図２】
2005046560.tif 000004
(57)【要約】【課題】    除菌効果と持続性を兼ね備えて、使用方法を簡単にする。【解決手段】    不織布の袋部の上部に柔軟性のあるポリエチレンの浮きを入れ、下部に０〜３ミリメートルに特殊加工したほたて貝殻を入れる様にした。【選択図】  図１
2005046576.tif 000002
【特許請求の範囲】
【請求項１】
不織布の袋部に浮きと天然資源物の加工したほたて貝殻を入れ、洗濯槽の水面に浮かべることによる、持続性のある洗濯物及び洗濯槽の除菌・抗菌・防カビ目的で使用方法が簡単な家庭用品。
【請求項２】
不織布の袋部に浮きと除菌・抗菌作用があるセラミック（銀・銅を加えた鉱物を含む）を入れ、洗濯槽の水面に浮かべることによる、持続性のある洗濯物及び洗濯槽の除菌・抗菌・防カビ目的で使用方法が簡単な家庭用品。
【発明の詳細な説明】
【発明の詳細な説明】
【技術分野】
【０００１】  本発明は、不織布を袋状にした内部に柔軟性のあるポリエチレン製の浮きを上部に入れ、下部に天然資源廃棄物である、ほたて貝殻を加工し、除菌・抗菌効果を引き出した物を入れ、誰にでも簡単に使用出来、持続性があり洗濯槽の水面に浮く事により洗濯槽や洗濯物に損傷などを与えない形になっている。
【背景技術】
【０００２】  従来、洗濯槽用の除菌剤は液体の１回限りの使用商品では、塩素系などの化学薬品の物や、持続性ある物ではセラミックを入れた洗濯槽に沈めて使う物ですので音が出るなどの問題点を有していた。
【発明を実施するための最良の形態】
【０００３】  上記問題点を解決するために、不織布の袋部の上部に柔軟性のあるポリエチレンの浮きを入れ、下部に０〜３ミリメートルに加工したほたて貝殻を入れることにより、課題を解決した。【０００４】  不織布の袋部の内部に入れるほたて貝殻は、天然資源物のほたて貝殻を表面の有機物を除去するため沸騰水中で２時間炊き上げ、乾燥後貝殻内部有機物除去のため最大温度９００℃以下で焼成処理を行う事により除菌・抗菌効果が高くなる。９００℃以上で焼成を行うと酸化カルシウム状態となり、水分に触れることにより水酸化カルシウムが生成されるが９００℃以下の焼成では、炭酸カルシウム状態なので水酸化カルシウムが生成されない。【０００５】除菌・抗菌作用は、水分と触れることによりヒドロキシルラジカルを発生して除菌・抗菌作用を起こす。除菌効果により洗濯物及び洗濯槽の消臭・防カビ効果を併せ持ち即効性と持続性を持たせるため０〜３ミリメートルの大きさに粉砕した物を使用する。【０００６】  特殊加工したほたて貝殻は、比重が約１．２あり不織布に入れただけでは洗濯槽の下部に行き回転翼に当たるため音が出たり、不織布が破れるが、不織布上部に柔軟性のあるポリエチレンの浮きを入れる事により問題を解決した。【０００７】  除菌効果の種類は、大腸菌、Ｏ−ｌ５７、黄色ぶどう球菌、緑膿菌、白癬菌、レジオネラ菌を確認した。【０００８】  除菌・抗菌効果があるセラミック（銀・銅を加えた鉱物を含む）を不織布の下部にいれてもよい。
【発明の効果】
【０００９】  上述の方法により使用方法は簡単で、洗濯槽に入れて置くだけで良く、除菌・抗菌の持続期間は内容量２０グラムで平均１ヶ月（３人家族週平均５回の洗濯で２０回）使用できるまた、音なども出ない。
【図面の簡単な説明】
【図１】見取り図。
【図２】正面図。
【図３】横面図。
【符号の説明】
１  不織布
２  浮き
３  特殊加工ほたて貝殻
【図１】
2005046576.tif 000003
【図２】
2005046576.tif 000004
【図３】
2005046576.tif 000005
(57)【要約】      （修正有）【課題】風による洗濯物の片寄りを防止する【解決手段】固定具なしで弾性コイルを簡単に取り付け及び取り外すことができ、また固定具が不要となったことで弾性コイルを好きな長さに切って使えるようにしたもので、その内容は、弾性コイルの形状が物干し竿の直径より大きい半円と小さい半円の大小ふたつの半円を設けた楕円状となっており、物干し竿の直径より大きい半円側より弾性コイルをすべて物干し竿に通した後、物干し竿の直径より小さい半円側のコイル全体を物干し竿側へずらし物干し竿にコイルをはさみこむことで、簡単に物干し竿へ取り付け及び取り外しができ、更に固定具がないことで好きな長さに切って使用することもできるため、物干し竿に取り付けるレイアウトもひろがり、また、シンプルになったことでコストダウンにもつながった。【選択図】  図１
2005046579.tif 000002
【特許請求の範囲】
【請求項１】
本考案は、弾性コイルの形状が、物干し竿の直径より大きい半円と小さい半円の大小ふたつの半円を設けた楕円状となっており、物干し竿の直径より大きい半円側より物干し竿にコイルをすべて通した後、物干し竿の直径より小さい半円側のコイル全体を物干し竿側へずらし、物干し竿にコイルをはさみこむことで、簡単に取り付け及び取り外しを可能とした物干し竿補助具。
【請求項２】
固定具が不要となりコイルの長さを好きな長さに切って使用できることを特徴とした物干し竿補助具。
【発明の詳細な説明】
【技術分野】
【０００１】  風による洗濯物の移動を防止させる構造に関するものであり、本発明は、固定具なしの弾性コイル形状のみで簡単に物干し竿へ取り付け及び取り外しを可能とし、更に固定具が不要なため、コイルを好きな長さに切って使用する事のできる物干し竿補助具。
【背景技術】
【０００２】  従来、弾性コイル状の物を固定具にて物干し竿に固定させたり、物干し竿全体に遊びの  あるコイルを通してしまう物干し竿補助具があった。
【発明の開示】
【発明が解決しようとする課題】
【０００３】そのために、次のような問題点があった。
（イ）固定具があるものや、物干し竿全体に遊びのあるコイルを通してしまうものは、取り付け及び取り外しに時間がかかる為、物干し竿の拭き掃除に時間がかかった。
（ロ）洗濯物を物干し竿に通して干したい場合、従来のコイル状補助具があると取り付け取り外しに時間を要するため、そのまま洗濯物を通そうとするとコイルに引っ掛かり通しにくい、または、通らない等の問題が生じた。
（ハ）コイルの長さを、同一ピッチのまま簡単に短くすることができなかった。
（ニ）形状が複雑であったり、部品点数の多い物がありコストがかかっていたため、需要者の負担が大きかった。
本発明は、これらの問題点を解決するためになされたものである。
【課題を解決するための手段】
【０００４】  弾性コイル状から成り立ち、物干し竿に通したコイル部に市販のハンガーや洗濯ばさみで洗濯物を吊り下げた際、風による洗濯物の片寄り防止を目的としたもので、本考案は、コイルの形状が物干し竿の直径より大きい半円と小さい半円の大小ふたつの半円を設けた楕円状となっており、物干し竿の直径より大きい半円側より物干し竿にコイルをすべて通した後、物干し竿の直径より小さい半円側のコイル全体を物干し竿側へずらし物干し竿にコイルをはさみこむことで、固定具なしで簡単にコイルの取り付け及び取り外しができ、固定具が不要になったことでコイルの長さを好きな長さに切って使用することができることを特徴とした物干し竿補助具である。
【発明の効果】
【０００５】（イ）弾性コイル巻き形状のひとつひとつが物干し竿の直径より大きい半円と小さい半円の大小ふたつの半円からなる楕円状となっており、物干し竿の直径より大きい半円側から物干し竿にコイル全体を通した後、物干し竿の直径より小さい半円側のコイル全体を物干し竿側へずらし、物干し竿にコイルをはさみこむことで固定できるため、コイル固定具なしで取り付け及び取り外しができ、更に好きな長さに切って使用することもできるため、物干し竿に取り付ける際、各家庭に適合した物干レイアウトが取れるようになった。
（ロ）本発明は、弾性コイル状のみで、物干し竿、ハンガー、洗濯ばさみは市販のものを使用できるため、極めて低コストであり需要者の負担もすくなくてすむ。
（ハ）市販の物干し竿に本発明の弾性コイルを通し固定した後、更に市販のハンガーや洗濯ばさみを所定のピッチできちんとしかも簡単に取り付けられ、風が吹いても洗濯物が片寄らない。
【発明を実施するための最良の形態】
【０００６】以下、本発明の実施の形態について説明する。
（イ）同一ピッチで出来た弾性コイル状となっている。（１）
（ロ）弾性コイルひとつひとつの形状は、物干し竿の直径より大きい半円と小さい半円の大小ふたつの半円を設けた楕円状となっている。（１）
本発明は以上のような構成で、これを使用するときは、弾性コイル（１）を物干し竿の直径より大きい半円側より物干し竿（２）に通した後、弾性コイル全体を物干し竿の直径より小さい半円側から物干し竿の方向（Ｙ方向）にずらし物干し竿にはさみこむことで、固定具なしで物干し竿に固定ができ、更に固定具が不要なため、弾性コイルを好きな長さに切って使用することもでき、固定した弾性コイルに市販のハンガー（３）や市販の洗濯ばさみ（４）で洗濯物を吊りさげ、風による洗濯物の片寄りを防止させることができる。
【実施例１】
【０００７】  図−１に示すような弾性コイルには、耐候性のある合成樹脂のほか、耐腐食性のある金属または、金属の表面を耐候性のある樹脂で覆ったものでもよい。
【図面の簡単な説明】
【０００８】
【図１】本発明の使用状況を示した全体図
【図２】本発明の正面図
【図３】本発明の側面図
【図４】市販の物干し竿へ取り付け直前の手順を示した側面図
【図５】市販の物干し竿へ取り付け直後を示した側面図
【符号の説明】
【０００９】  １  弾性コイル
２  物干し竿
３  ハンガー
４  洗濯ばさみ
【図１】
2005046579.tif 000003
【図２】
2005046579.tif 000004
【図３】
2005046579.tif 000005
【図４】
2005046579.tif 000006
【図５】
2005046579.tif 000007
(57)【要約】【課題】  おむつ替え、汚物処理時の乳幼児の足のバタつきや足閉じを最小限の労力で制御し、おむつ替え、汚物処理を容易にすることができる。【解決手段】  内部にビーズ、ビー玉、鈴等の様な複数個の粒状体３を入れた透明な筒状体１の両端にそれぞれ伸縮性のあるアンクルバンド２を固着する。【選択図】  図１
2005046574.tif 000002
【特許請求の範囲】
【請求項１】
内部にカラフルな粒状体（３）が複数個入った透明な筒状体（１）の両端にそれぞれ固着しているアンクルバンド（２）で構成されたことを特徴とするおむつ替え補助具。
【発明の詳細な説明】
【技術分野】
【０００１】  本発明は、乳幼児の汚物処理、おむつ替え時の足のバタつきや足閉じを制御し、処理、交換を容易に行うための補助具に関する。
【背景技術】
【０００２】  従来のおむつ替え補助具においては、まず両端に面状ファスナー等の脱着自在な手段を持ち、乳幼児の胸部に巻いて保持するための胸ベルトと、この胸ベルトに対し直角方向に両端を胸ベルトに固定された帯状の一対の肩ベルトと、帯状で、両端に面状ファスナー等の脱着自在な手段を持ち、胸ベルトまたは肩ベルトに一部固定され、これによって乳幼児の膝あるいは足首を保持するための一対の足ベルトとによって構成されているおむつ替え補助具が実開平５−７４３５５号公報に記載されており、また乳幼児拘束ベルトを乳幼児の胸部分を拘束する胸ベルトとこの胸ベルトを結合させるバックルと、乳幼児の両肩を拘束する肩ベルトとから構成し、この胸ベルトをベビーシートの中央付近に比較的狭い間隔で設けられたベルト通し穴を通してベビーシートの上面に出るように設けた乳幼児拘束ベルトが特開２００３−５２４９６号公報に記載されており、更に安定した土台の上に、紙などのおむつがズレない細工を施したＵ字型またはお尻を包み込むような形で跨がって座れるものを固着させた幼児のオムツ装着補助用具が特開２００２−１５９３７９号公報に記載されている。
【発明の開示】
【発明が解決しようとする課題】
【０００３】  本発明の発明者には実際に１才８ヶ月の幼児がおり、その幼児に対する日々のおむつ替えの体験に照らし合わせて勘案すると、実開平５−７４３５５号公報に記載されているおむつ替え補助具にあっては、足を固定する前にまず胸ベルトを装着するという手間がかかると同時に幼児の胸部をベルトで圧迫してしまう危険性を持つという問題点があり、特開２００３−５２４９６号公報に記載されている拘束ベルトにあっては、乳幼児の足が固定されないため、汚物処理が容易に行えないという問題点があり、特開２００２−１５９３７９号公報に記載されているオムツ装着補助用具にあっては、安定した場所でのみ使用が可能であり、且つ乳幼児を座らせる形態のため、それ相応の大きさが必要となるので携帯に不便という問題点があった。【０００４】  上記課題を解決するために本発明は、内部にカラフルな粒状体（３）が複数個入った透明な筒状体（１）の両端にそれぞれ固着しているアンクルバンド（２）で構成されたことを特徴とするおむつ替え補助具である。
【発明の効果】
【０００５】  本発明は、内部にカラフルな粒状体（３）が複数個入った透明な筒状体（１）の両端にそれぞれ固着しているアンクルバンド（２）で構成されたことを特徴とするおむつ替え補助具であるので、以下に記載される効果が期待できる。
１．おむつ替え時の乳幼児の足のバタつきや足閉じを最小限の労力で制御でき、汚物処理、おむつ替えを容易にする。
２．おむつ替え時の振動により、透明な筒状体内部のカラフルな複数個の粒状体が筒状体に当たって発生させる擦過音、及びカラフルな粒状体の動きで乳幼児の気を足に引きつけ、より汚物処理、おむつ替えを容易にする。
３．携帯に便利なサイズで、場所を選ばずに使用する事ができる。
４．おむつ替え時以外でも乳幼児の遊具として使用する事ができる。
【発明を実施するための最良の形態】
【０００６】  図１において、アクリルやプラスチック等の適度な硬度を持つ素材で、直径３０〜６０ミリメートル程度の握り易い適度な太さと乳幼児の両足首の間に無理なく入り、且つ一般成人の握り拳より若干長い１２０ミリメートル程度の長さの透明な筒状体１の両端に、乳幼児の足首に取り付ける、あるいは巻き付けるゴム、ゴム入りの布、ビニール、化学繊維、特殊繊維等の伸縮性に富む素材でできたアンクルバンド２を固着する。筒状体１の内部には、ビーズ、ビー玉、鈴等の様な適度な硬度を持つカラフルな複数個の粒状体３を入れる。
【図面の簡単な説明】
【０００７】
【図１】  本発明の全体斜視図である。
【図２】  本発明の実施例を示す図である。
【符号の説明】
【０００８】  １  透明な筒状体
２  アンクルバンド
３  カラフルな複数個の粒状体
【図１】
2005046574.tif 000003
【図２】
2005046574.tif 000004
(57)【要約】      （修正有）【課題】簡単で費用も掛からず、騒音等で他人に迷惑を掛けない方法で精神統一する方法を提供する。【解決手段】振動装置８を手に握り、スイッチのノブ４を押し、振動を開始させる。手の平で振動を感じ、心をその振動に集中し、静かに深呼吸を行い、心を静め精神統一する。振動装置は、振動モーターとそれに直結した偏芯ホイール、電気スイッチ、乾電池より構成される。スイッチのノブを押しているときのみ振動する。【選択図】  図１
2005046571.tif 000002
【特許請求の範囲】
【請求項１】
機械的低周波振動を身体の触覚に与えその低周波振動に心を集中し精神を統一する方法
【発明の詳細な説明】
【技術分野】
【０００１】  本発明は機械的振動を身体の触覚（一般には手の平）で感じ、その振動に心を集中し、精神を統一する精神科学に関する。
【背景技術】
【０００２】  精神統一，心の集中、心を癒す方法には、坐禅法（瞑想により精神を統一する）、視覚法（水晶玉を見つめる、線香の煙を見つめる等の凝視により精神を統一する）、聴覚法（鐘、木魚の音に耳を傾け集中して精神を統一する）、唱誦法（音声を発し，読み，唱え，歌う，即ち念仏，賛美歌等）等が一般に考えられている。具体的精神統一法の教えとしては、ブザーの音を聞き瞑想し、心の中にある雑念妄念（多念多想）から一念一想になりブザーの音を止めた瞬間無念無想になる方法がある、（非特許文献１、非特許文献２参照）。薬物により精神統一を行う方法、（例えば特許文献１参照）。光の視野を限定して精神統一を行う方法、（例えば特許文献２参照）。
【特許文献１】  特許公開２００２−３７０９７９号公報
【特許文献２】  特許公開平６−１３０８９１号公報
【非特許文献１】「盛大な人生」中村天風述、日本経営合理化協会発行  ｐ４１２〜ｐ４１３
【非特許文献２】「運命を拓く」中村天風、講談社文庫  ｐ３２９
【発明の開示】
【発明が解決しようとする課題】
【０００３】  従来の方法では、例えば坐禅法は一般の人には時間的、場所的に常時実行することは不可能と考えられる。又，聴覚法、唱誦法等で、ブザー，鐘、木魚、を用いる方法やお経を唱え又は賛美歌を歌う方法は特別の部屋が無ければ、騒音等で他人に迷惑を掛けることになる。従って、他人に迷惑を掛けず、費用も余りかからず、精神統一、心の集中力を高める方法を解決の課題とする。
【発明を解決する手段】
【０００４】  本人の周りの人に迷惑を掛けず，精神統一、心の集中力を高める方法として、坐禅法、視覚聴覚法を用いず、身体の触覚に機械的低周波振動を与えることにより、心を振動に集中し精神統一を行うことを手段とする。
【発明の効果】
【０００５】  本発明の方法は、場所、時間を選ばず、自由に実行し、精神統一、心の集中力を強化できる。従って、学習の前、受験の前、心に恐怖感を感じているとき、心が動揺しているとき、信念の強化法等々その効果は絶大であり、特に深呼吸と自己暗示を併用することによりその効果は倍増する。
【発明を実施するための最良の形態】
【０００６】  本発明を実施するに当たり、機械的振動装置の振動部は携帯電話の着信時に用いられるバイブ装置を利用するのも一方法である。本装置は振動用モーターとそれに直結した偏芯ホイール、電気スイッチ、乾電池より構成される。スイッチのノブを押している時のみ振動する。
使用方法は、動作１「振動装置を手に握り、スイッチのノブを押す、振動開始、手の平で振動を感じ、心をその振動に集中し、静かに深呼吸を行い、心を静める」。スイッチのノブから指を離せば振動は停止する。次は各々の場合に応じて、以下の実施例により説明する。
【実施例１】
【０００７】心に恐怖心がある場合。上記「動作１」を実行する。
次に、「私に恐怖心は無い、何物をも恐れない」と自己暗示を、静かな深呼吸と共に数回行う。それにより心は段々静まり恐怖心は激減する。
若し、神仏を信仰し、お守りを持っている場合は、お守りを振動装置に付けて一体としスイッチを押しながら、静かに深呼吸し、お守りを見て、「神（仏）は私を守って下さっている、だから私には恐れは無い、神（仏）は常に私と共にいる」等の自己暗示を行う。これにより、心の恐怖は解消される。
【実施例２】
【０００８】勉強、学習の前、不得意の学科があれば、特に行う。上記「動作１」を実行する。例えば、英語（数学）が不得意の場合、「私は英語（数学）が好きになる」等の自己暗示を行い、心を静めてから勉強に入る。毎回勉強の前に行うと段々英語（数学）に興味が湧き、成績は向上する。
【実施例３】
【０００９】受験等に臨む時。試験開始の前に、上記「動作１」を実行する。
次に、「私は今まで努力した成果を充分に発揮出来る」等の自己暗示を深呼吸と共に行って無心の心境で試験等に臨むと良い結果が得られる。
【実施例４】
【００１０】願望達成の精神的強化法として用いる。この場合は、出来れば夜就寝前に行うとより効果的である。上記「動作１」を実行し、静かに深呼吸しながら、次の自己暗示を行う。「私は必ず○○に成功する」、「私は○○に合格する」、「私は経済的に恵まれ裕福になる」、「私は何者にも恐れなくなる」、「私はどもりを気にしなくなる」、「私は信念が強くなる」等々。これらは、根気よく毎晩行うとよい。
【実施例５】
【００１１】携帯電話に一部機能を追加して精神統一法も出来るようにする。
携帯電話に振動専用のスイッチを設け、スイッチを押すと振動を開始し且つデスプレー画面に、自己暗示の言葉を表示する。例えば、「私は信念が強くなる」、「私は何者にも恐れない」、「私は成功する」、「神は私を守って下さっている、だから何者にも負けないのだ」等々の自分が必要とする言葉を選んで表示する。使用方法は上記「動作１」を併用する。
【図面の簡単な説明】
【００１２】
【図１】    本発明実施例１．２．３．４等の振動装置を握っている斜視図を示す。
【図２】    本発明の振動装置の斜視図
【符号の説明】
【００１３】  １は振動装置の筐体
２は筐体の蓋
３は電気スイッチ
４はスイッチのノブ
５は振動用モーター
６は振動発生用の偏芯ホイール
７は乾電池
８は振動装置
【図１】
2005046571.tif 000003
【図２】
2005046571.tif 000004
(57)【要約】【課題】  従来からある、室内で使用する素振り用クラブは、通常のクラブより大幅に短尺であるため、素振りをする際、自らのスイングプレーンを確認することができなかった。その結果、誤ったスイングに気がつかないまま素振りを続けることにより、悪癖を付けてしまうことが極めて多かった。【解決手段】  以上の課題を解決するために、クラブのヘッド部及びグリップ部に、レーザー、クリプトン球等の光源体を内装することにより、床等に映るその光跡でスイングプレーンを容易に確認することを可能とする。【選択図】  図１
2005046580.tif 000002
【特許請求の範囲】
【請求項１】
レーザー、クリプトン球等の発光体を内装することにより、床等に映るその光跡でスイングプレーンを容易に確認することができる素振り用クラブ
【発明の詳細な説明】
【特許の詳細な説明】
【技術分野】
【０００１】  この発明は、スイングプレーンを容易に確認できるよう、ヘッド部及びグリップ部にレーザー、クリプトン等の光源を内装した素振り用クラブに関するものである。
【背景技術】
【０００２】  従来の室内で使用する素振り用クラブは、通常のクラブより大幅に短尺であった。
【発明が解決しようとする課題】
【０００３】  それゆえ、素振りをする際、自らのスイングプレーンを確認することができなかった。その結果、誤ったスイングに気がつかないまま素振りを続けることにより、悪癖を付けてしまうことが極めて多かった。
【課題を解決するための手段】
【０００４】  以上の課題を解決するために、請求項１の発明は、クラブのヘッド部及びグリップ部に光源体を内装することにより、床等に映るその光跡でスイングプレーンを容易に確認することを可能としたものである。
【発明を実施するための最良の形態】
【０００５】  この発明の一実施形態を、図１に示す。素振り用クラブのグリップ部（１）の根元にレーザー等の光源（３）を内装する。また、ヘッド部（２）先端にも光源（３）を内装する。ヘッド部の形状については、通常のクラブ同様のヘッド等、どのような形状でも可能である。なお、光源のオン／オフについては、グリップ、シャフト、ヘッドのいずれかにスイッチを設け、操作するものとする。
【発明の効果】
【０００６】  本発明は、レーザー等の発光体を内装することにより、床等に映るその光跡でスイングプレーンを容易に確認することが可能となる。
【図面の簡単な説明】
【図１】  本考案の一実施形態を示す斜視図である。
【符号の説明】
１  グリップ部
２  ヘッド部
３  光源
【図１】
2005046580.tif 000003
(57)【要約】      （修正有）【課題】  電車の中などで、濡れた傘で他人に迷惑を掛けないため、カバンの正面または側面に取り外し自在な折りたたみ傘入れを提供する。【解決手段】  それぞれの形の違うカバンの正面または側面に傘を自在に出し入れできる折りたたみ傘入れをマジックテープで装着する。【効果】  雨の日の電車の中などで片方の手でカバンを持ち、もう一方の手で傘をを持つ必要がなくなり、傘のやり場に困惑することもなくなり、利便性は勿論、濡れた傘での他人への迷惑を掛けることもなくなる。【選択図】  図２
2005046578.tif 000002
【特許請求の範囲】
【請求項１】
各種サイズの異なる肩掛けカバン及びカバンに取り外し自在なアタッチメントの傘入れを装着させる為にマジックテープで固定させる事を特徴とする各種カバンの傘入れ。
【請求項２】
傘入れの素材は内側をナイロン及びポリエステルなどを使用し、それにウレタン、アクリル樹脂をコーティングして防水と撥水処理を施す。尚、底に溜まった水は取り外して捨てる事が容易に可能にする為、筒状にして折りたたみ傘が簡単に出し入れできる事を特徴とするカバンの傘入れ。
【発明の詳細な説明】
【発明の詳細な説明】
【技術分野】
【０００１】  サイズの異なるカバンの正面か側面に取り外し自在なマジックテープで折りたたみ傘入れを装着させ、濡れた傘で他人に水滴で迷惑が掛らないし、電車の中などでも簡単に仕舞い込める利便性に優れたカバンの傘入れに関する。
【背景技術】
【０００２】  従来の傘入れはカバンを持つ手と違う手で持たなければならず、電車の中などでは自分の服は勿論の事他人の服まで濡らすなど、雨上がりに手に持った傘の所在に困るなどの問題が生じる。又、カバンにナイロンの袋などに入れた傘を入れ、書類が台無しになるなど困惑する事が多々あった。
【発明が解決しようとする課題】
【０００３】  従来のカバンに取り外し自在なアタッチメントの折りたたみ傘入れを装着させ、濡れたまま入れても撥水、防水加工した素材で解決でき、カバンを持つ手と片方の手は傘を持つ事が無く、周りに迷惑を掛ける事が無い事を容易に解決できる発明である。
【目的】
【０００４】  本願発明は、カバンの正面か側面に取り外し自在な折りたたみ傘入れを提供するものである。
【課題を解決するための手段】
【０００５】  上記目的を達成する為、本願発明は各種カバンにマジックテープで装着可能な折りたたみ傘を自在に出し入れできる事を特徴としている。
【発明を実施するための最良の形態】
【０００６】  本願発明に係る実施の形態例に付いては図面にて詳細に説明する。【０００７】  図１のように各種カバン、肩掛けカバンなどの正面か側面にマジックテープを取り付け、それに図２の折りたたみ傘入れをつける。【０００８】  図２の中に筒状の物を入れてあるので、傘の出し入れは容易であり、図３、図４などのもので固定する。【０００９】  形状について、通常傘を入れない場合はバッグの側面のそって凸のない平面状態になる。【００１０】  以上本願発明は、カバンに折りたたみ傘入れを装着させる為、従来の傘入れと違い利便性、安全性、迷惑度を考えた時、使用者への貢献度は顕著なものである。
【図面の簡単な説明】
【図１】  カバン正面図
【図２】  傘入れ正面図
【図３】  傘入れのふた
【図４】  本体取り付けのマジックテープ
【符号の説明】
▲１▼  マジックテープ両面
▲２▼  筒状の傘入れ
▲３▼  マジックテープ
▲４▼  傘入れ部分のふた
【図１】
2005046578.tif 000003
【図２】
2005046578.tif 000004
【図３】
2005046578.tif 000005
【図４】
2005046578.tif 000006